(57)【特許請求の範囲】
【請求項１】
吐水口を有するシャワーヘッドと、
前記シャワーヘッドに連結されたシャワーホースと、
前記シャワーホースを収容する筐体と、
電波を放射すると共に前記電波の反射波を受信して被検知体の動作を検知する電波センサ部と、
前記吐水口からの吐水を受けるボウルと、
を備えた水周り装置において、
前記シャワーヘッドが、前記ボウルの後部上方に設けられた立壁部に取り付けられ、
前記電波センサ部の検知領域が、前記シャワーヘッドを含み、
前記筐体内における前記シャワーホースの可動領域が、前記電波センサ部の検知領域外に配置されており、
前記電波センサ部が前記シャワーヘッドの動きを検知すると、前記電波センサ部による検知が無効化されることを特徴とする水周り装置。
【請求項２】
前記電波センサ部が、前記シャワーヘッドに対して、前記シャワーホースの可動領域と反対側に配置されていることを特徴とする請求項１に記載の水周り装置。
【請求項３】
前記検知領域を調整する電波減衰部材を更に備えていることを特徴とする請求項１に記載の水周り装置。
【発明の詳細な説明】
【技術分野】
【０００１】
本発明は、水周り装置に関し、特に電波センサを用いて被検知体を検知する水周り装置に関する。
【背景技術】
【０００２】
従来、使用者が接近したことを検知して照明等を自動的に作動させる洗面化粧台が知られている。
このような洗面化粧台において、使用者を検知するために超音波センサを使用した場合、検知部分を外部に露出する必要があり、洗面化粧台の意匠性を損なう要因となっていた。
【０００３】
そこで、下記特許文献１に記載された洗面化粧台では、洗面化粧台にマイクロ波スイッチを設置し、このマイクロ波スイッチにより洗面化粧台近傍の使用者を検出して照明灯等の電気設備を作動させている。
このように使用者の検出にマイクロ波スイッチを用いると、検知部分を外部に露出する必要がないため、マイクロ波スイッチを完全に洗面化粧台内に隠蔽することが可能となりデザインの制約を受けない、意匠性の高い洗面化粧台を実現できる。
【先行技術文献】
【特許文献】
【０００４】
【特許文献１】実開昭６３−１０３４９２号公報
【発明の概要】
【発明が解決しようとする課題】
【０００５】
しかしながら、近年、洗面化粧台やキッチンなどの水周り装置において、使い勝手向上のために、シャワーヘッドと筐体内にシャワーホースとを備え、シャワーヘッドを筐体から引き出し自在させている。
このような引き出し自在なシャワーヘッドを備えた水周り装置において、マイクロ波を用いて使用者の接近を検知しようとすると、シャワーヘッドを引き出す動作によるシャワーホースの動きも検知してしまうことがあり、かえって使い勝手を損ねる恐れがある。
【０００６】
そこで、本発明は、前述したような従来技術の問題を解決するものであって、すなわち、本発明の目的は、シャワーヘッドを引き出す動作による誤検知を防止することができる水周り装置を提供することである。
【課題を解決するための手段】
【０００７】
請求項１に係る発明は、吐水口を有するシャワーヘッドと、前記シャワーヘッドに連結されたシャワーホースと、前記シャワーホースを収容する筐体と、電波を放射すると共に前記電波の反射波を受信して被検知体の動作を検知する電波センサ部と、前記吐水口からの吐水を受けるボウルと、を備えた水周り装置において、前記シャワーヘッドが、前記ボウルの後部上方に設けられた立壁部に取り付けられ、前記電波センサ部の検知領域が、前記シャワーヘッドを含み、前記筐体内における前記シャワーホースの可動領域が、前記電波センサ部の検知領域外に配置されており、前記電波センサ部が前記シャワーヘッドの動きを検知すると、前記電波センサ部による検知が無効化されることを特徴とする水周り装置である。
【０００８】
このように構成された請求項１に記載された水周り装置によれば、筐体内におけるシャワーホースの可動領域が、電波センサ部の検知領域外に配置されていることにより、シャワーヘッドの引き出しに伴うシャワーホースの筐体からの引き出しが電波センサ部によって検知されないため、シャワーヘッドを引き出した際におけるシャワーホースの動きを電波センサ部が誤って検知してしまうことを抑制することができる。
また、電波センサ部の検知領域が、シャワーヘッドを含むことにより、シャワーヘッドの動きを検知することが可能になる。
さらに、電波センサ部がシャワーヘッドの動きを検知すると、電波センサ部による検知が無効化されるため、シャワーヘッドの動きを検知した段階でシャワーヘッドの移動が起こると判断して電波センサ部による被検知体の動作の検知を停止させるような制御を実行することができる。
【００１１】
請求項２に係る発明は、請求項１の発明の前記電波センサ部が、前記シャワーヘッドに対して、前記シャワーホースの可動領域と反対側に配置されていることを特徴とする水周り装置である。
【００１２】
このように構成された請求項２に記載された水周り装置によれば、請求項１に係る発明が奏する効果に加え、電波センサ部が、シャワーヘッドに対して、シャワーホースの可動領域と反対側に配置されていることにより、シャワーヘッドの引き出しに伴うシャワーホースの可動領域が電波センサ部の検知領域外となるため、シャワーヘッドの引き出しに伴うシャワーホースの動きを電波センサ部が検知してしまうことをさらに抑制することができる。
【００１３】
請求項３に係る発明は、請求項１の発明の水周り装置の構成に加えて、前記検知領域を調整する電波減衰部材を更に備えていることを特徴とする水周り装置である。
【００１４】
このように構成された請求項３に記載された水周り装置によれば、請求項１に係る発明が奏する効果に加え、電波減衰部材を更に備えていることにより、筐体内におけるシャワーホースの可動領域を電波センサ部の検知領域から除外することが可能となるため、指向性の広い電波センサを使用する場合においても、シャワーヘッドの引き出しに伴うシャワーホースの動きを電波センサ部が検知してしまうことを抑制することができる。
【発明の効果】
【００１５】
本発明によれば、シャワーヘッドを引き出す動作による誤検知を防止することができる水周り装置を提供することができる。
【図面の簡単な説明】
【００１６】
【図１】本発明の実施形態に係る水周り装置における斜視図である。
【図２】本発明の実施形態に係る水周り装置の内部構造における斜視拡大図である。
【図３】本発明の実施形態に係る水周り装置の電波センサ部と制御部の構成を示すブロック図である。
【図４】本発明の実施形態に係る水周り装置の内部構造における正面概略構成図である。
【図５】本発明の実施形態に係る水周り装置における側面図である。
【図６】本発明の実施形態の第一変形例に係る水周り装置の内部構造における正面概略構成図である。
【図７】本発明の実施形態の第二変形例に係る水周り装置の内部構造における斜視概略構成図である。
【図８】本発明の実施形態の第二変形例に係る水周り装置の内部構造における正面概略構成図である。
【発明を実施するための形態】
【００１７】
以下、本発明の実施の形態について図面を参照しつつ説明する。
なお、各図面中、同様の構成要素には同一の符号を付して詳細な説明は適宜省略する。
【００１８】
＜１．水周り装置の構成＞
図１から図３を参照して、本発明の実施形態に係る水周り装置の構成について説明する。
図１は、本発明の実施形態に係る水周り装置における斜視図である。
図２は、本発明の実施形態に係る水周り装置の内部構造における斜視拡大図である。
図３は、本発明の実施形態に係る水周り装置のセンサ部と制御部の構成を示すブロック図である。
本明細書において、「上」、「下」、「左」、「右」の方向は、水周り装置の使用者から見た方向であり、また、使用者から見て手前側を「前」と称し、奥側を「後」と称する。
【００１９】
図１に示すように、水周り装置１００は、水を吐水するシャワーヘッド１１０と、吐水された水を受けるボウル１２０と、収納スペースを有する筐体１３０と、シャワーヘッド１１０の吐水と止水を切替えるためのシングルレバー１４０とを備えている。
【００２０】
シャワーヘッド１１０は、後述するシャワーホース１５０を筐体１３０から引き出せるように、ボウル１２０の後部上方に設けられた立壁部１２１に着脱可能に取り付けられる。
シャワーヘッド１１０の先端には吐水口１１１が形成されており、吐水口１１１からボウル１２０に向かって水が吐水される。
【００２１】
ボウル１２０は、陶器または樹脂等で形成されており、吐水口１１１から吐水される水を受ける。
ボウル１２０で受けた水は、ボウル１２０に形成された図示しない排水口から外部へ排出される。
ボウル１２０の立壁部１２１は、ボウル１２０の後方から鉛直上方に形成されている。
【００２２】
筐体１３０は、ボウル１２０の後部上方に設けられ、シャワーホース１５０を収容するための収納スペースを有し、シャワーヘッド１１０が引き出された際のシャワーホース１５０の引き出し長さを確保している。
【００２３】
シングルレバー１４０は、シャワーヘッド１１０の横方向に配置され、吐水口１１１からの吐水と止水とを切替えるための操作部および水栓機構であり、操作ハンドル１４１を有している。
操作ハンドル１４１は、シングルレバー１４０の前面に設けられ、操作ハンドル１４１を前後方向に回動させることにより、吐水口１１１からの吐水と止水を切替え、且つ、吐水口１１１から吐水される水の流量を調整できる。
なお、操作ハンドル１４１を左右に回動させることにより、吐水口１１１から吐水される水の温度を調整するように構成されていることが好ましい。
【００２４】
図２に示すように、水周り装置１００は、筐体１３０に収容されたシャワーホース１５０と、電波センサ部１６０とを、さらに備えている。
【００２５】
シャワーホース１５０は、金属により被覆されたフレキシブルホースであり、シャワーヘッド１１０に連結されている。
そして、シャワーホース１５０は、筐体１３０の内部で左右方向に往復して延びており、Ｕ字形になって筐体１３０の内部に収容されている。
これにより、シャワーヘッド１１０が筐体１３０から引き出し可能になっている。
【００２６】
電波センサ部１６０は、所定の指向性パターンを有し、吐水口１１１より上方から下向きに電波が放射するように筐体１３０の内部に配置されている。
電波センサ部１６０は、特定の周波数帯域（例えば約１０ＧＨｚ又は約２４ＧＨｚ帯域）のマイクロ波ドップラセンサである。
電波センサ部１６０は、所定の送信信号を放射し、被検知体によって反射された反射信号を受信して、これらに基づいてドップラ信号（検知信号）を出力する。
【００２７】
水周り装置１００は、さらに電波センサ部１６０から放射される電波を減衰する電波減衰部材１７０を備えている。
電波減衰部材１７０は、例えば樹脂や電波吸収体などの部材が用いられ、電波センサ部１６０とシャワーホース１５０の間に配置される。
電波減衰部材１７０は、シャワーホース１５０を収容する筐体１３０と一体構造として同一素材で形成された板状の形状であると、より容易に電波を減衰する構造を形成することができる。
【００２８】
図３を参照しながら、電波センサ部１６０及び制御部１８０の構成について更に説明する。
図３に示すように、電波センサ部１６０は、送信アンテナ１６１と、受信アンテナ１６２と、発振回路１６３と、ミキサ回路１６４を有している。
【００２９】
送信アンテナ１６１は、発振回路１６３で生成された所定周波数の信号を、マイクロ波として放射する。
受信アンテナ１６２は、送信アンテナ１６１から放射された後、被検知体により反射されて戻ってきた反射波を受信する。
【００３０】
ミキサ回路１６４は、送信波の一部と受信波の入力を受けて、これらに基づいて検知信号を制御部１８０へ出力する。
【００３１】
制御部１８０は、判定部１８１と、記憶部１８２とを有している。
ミキサ回路１６４から出力された検知信号より被検知体の状態を識別し、その結果を判定部１８１にてあらかじめ記憶部１８２に設計している閾値と比較し判断する。
具体的には、判定部１８１は、記憶部１８２に記憶されている所定の閾値を呼び出し、検知信号の電圧値と、記憶部１８２から呼び出した所定の閾値と、を比較する。
検知信号の電圧値が記憶部１８２から呼び出した所定の閾値以上である場合、つまり、電波センサ部１６０が被検知体の動きを検知した場合に、判定部１８１の制御により吐水や照明の制御を行う。
【００３２】
＜２．水周り装置の動作＞
次に、図４及び図５を参照して、本発明の実施形態に係る水周り装置の動作について説明する。
図４は、本発明の実施形態に係る水周り装置の内部構造における正面概略構成図である。
図５は、本発明の実施形態に係る水周り装置における側面図である。
【００３３】
図４に示すように、シャワーホース１５０は、筐体１３０の内部で左右方向に往復して延びており、Ｕ字形になって筐体１３０の内部に収容されている。
これにより、シャワーホース１５０は、シャワーヘッド１１０が引き出された際に可動領域Ｒを動く。
電波センサ部１６０は、所定の指向性パターンを有し、被検知体の検知範囲である検知領域Ｓを形成し、この検知領域Ｓがシャワーホース１５０の可動領域Ｒを含まないように配置されている。
【００３４】
また、図５に示すように、電波センサ部１６０は、吐水口１１１より上方から下向きに電波が放射するように配置され、かつ検知領域Ｓがシャワーヘッド１１０を含むように配置されていると、使用者がシャワーヘッド１１０を引き出すために、シャワーヘッド１１０に近づく手を検知することができるため、なお良い。
【００３５】
＜３  水周り装置の変形例＞
次に、図６から図８を参照して、本発明の実施形態に係る水周り装置の変形例について説明する。
【００３６】
＜３．１  水周り装置の第一変形例＞
図６を参照して、本発明の実施形態の第一変形例に係る水周り装置の構成について説明する。
図６は、本発明の実施形態の第一変形例に係る水周り装置の内部構造における正面概略構成図である。
【００３７】
第一変形例の水周り装置１００は、前述した水周り装置と電波減衰部材１７０の形態が異なっている。
図６に示すように、電波減衰部材１７０は、電波センサ部１６０から放射される電波によって形成される検知領域Ｓがシャワーホース１５０の可動領域Ｒを含まないように、検知領域Ｓを制御するためのものであって、シャワーホース１５０を覆うように形成されている。
このように電波減衰部材１７０を形成することにより、シャワーヘッド１１０を引き出す動作によって可動するシャワーホース１５０は、電波減衰部材１７０の内部を動くため、電波センサ部１６０がシャワーホース１５０の動きを誤検知することを防止することができる。
【００３８】
＜３．２  水周り装置の第二変形例＞
次に、図７および図８を参照して、本発明の実施形態の第二変形例に係る水周り装置の構成について説明する。
図７は、本発明の実施形態の第二変形例に係る水周り装置の内部構造における斜視概略構成図である。
図８は、本発明の実施形態の第二変形例に係る水周り装置の内部構造における正面概略構成図である。
【００３９】
第二変形例の水周り装置１００は、前述した水周り装置と筐体１３０と電波センサ部１６０の配置が異なっている。
図７および図８に示すように、シャワーヘッド１１０は、シャワーホース１５０を筐体１３０から引き出せるように、ボウル１２０の後部上方に設けられた立壁部に着脱可能に取り付けられる。
筐体１３０および電波センサ部１６０は、ボウル１２０の背面に設けられている。
シャワーホース１５０は、筐体１３０の内部で上下方向に往復して延び、Ｕ字形に収容されており、シャワーヘッド１１０が引き出された際に可動領域Ｒを動く。
【００４０】
＜４．効果＞
上述した本発明の水周り装置１００によれば、筐体１３０内におけるシャワーホース１５０の可動領域Ｒが、電波センサ部１６０の検知領域Ｓ外に配置されていることにより、シャワーヘッド１１０の引き出しに伴うシャワーホース１５０の筐体１３０からの引き出しが電波センサ部１６０によって検知されないため、シャワーヘッド１１０を引き出した際におけるシャワーホース１５０の動きを電波センサ部１６０が誤って検知してしまうことを抑制することができる。
【００４１】
また、上述した本発明の水周り装置１００によれば、電波センサ部１６０の検知領域Ｓが、シャワーヘッド１１０を含むことにより、シャワーヘッド１１０の動きを検知することが可能になる。
さらに、電波センサ部１６０がシャワーヘッド１１０の動きを検知すると、電波センサ部１６０による検知が無効化されるため、シャワーヘッド１１０の動きを検知した段階でシャワーヘッド１１０の移動が起こると判断して電波センサ部１６０による被検知体の動作の検知を停止させるような制御を実行することができる。
【００４２】
また、上述した本発明の水周り装置１００によれば、電波センサ部１６０が、シャワーヘッド１１０に対して、シャワーホース１５０の可動領域Ｒと反対側に配置されていることにより、シャワーヘッド１１０の引き出しに伴うシャワーホース１５０の可動領域Ｒが電波センサ部１６０の検知領域Ｓの外となるため、シャワーヘッド１１０の引き出しに伴うシャワーホース１５０の動きを電波センサ部１６０が検知してしまうことをさらに抑制することができる。
【００４３】
また、上述した本発明の水周り装置１００によれば、電波減衰部材１７０を更に備えていることにより、筐体１３０内におけるシャワーホース１５０の可動領域Ｒを電波センサ部１６０の検知領域Ｓから除外することが可能となるため、指向性の広い電波センサを使用する場合においても、シャワーヘッド１１０の引き出しに伴うシャワーホース１５０の動きを電波センサ部１６０が検知してしまうことを抑制することができる。
【００４４】
＜５．変形例＞
以上、本発明を実施するための形態について説明したが、本発明は上記に限定されるものではない。
前述した各実施の形態が備える各要素は、技術的に可能な限りにおいて組み合わせることができ、これらを組み合わせたものも本発明の特徴を含む限り本発明の技術的範囲に包含される。
【００４５】
例えば、水周り装置１００は洗面化粧台を例に説明したが、キッチンであっても良い。
【００４６】
また、上記実施形態では、ボウルの輪郭は矩形状であったが、その輪郭は任意であり、例えば湾曲した輪郭を有していてもよい。
【符号の説明】
【００４７】
１００    水周り装置（洗面化粧台）
１１０    シャワーヘッド
１１１    吐水口
１２０    ボウル
１２１    立壁部
１３０    筐体
１４０    シングルレバー
１４１    操作ハンドル
１５０    シャワーホース
１６０    電波センサ部
１６１    送信アンテナ
１６２    受信アンテナ
１６３    発振回路
１６４    ミキサ回路
１７０    電波減衰部材
１８０    制御部
１８１    判定部
１８２    記憶部
Ｓ        検知領域
Ｒ        可動領域
【図１】
0006701603.tif 000002
【図２】
0006701603.tif 000003
【図３】
0006701603.tif 000004
【図４】
0006701603.tif 000005
【図５】
0006701603.tif 000006
【図６】
0006701603.tif 000007
【図７】
0006701603.tif 000008
【図８】
0006701603.tif 000009